(57)【要約】【課題】寸法安定性に優れ、簡単、かつ、接着剤や釘、ビス等の固定手段や、その他の施工部材を必要とすることなく施工できる複合床材およびその接合構造を提供する。【解決手段】ベース材１とその上に床仕上げ材２が積層されてなる複合床材Ａであって、上記上層である床仕上げ材２と該複合床材Ａの敷設時に隣接する床仕上げ材２ａとは縦方向側面に雌実３１と雄実３２とが設けられ、下層のベース材１と隣接するベース材１ａとはその端部に上下に凹凸結合する凹部４１と凸部４２とが設けられたことを特徴とし、上記床仕上げ材１の雌実３１が設けられる側のベース材１は雌実３１よりも外方に突出され、その突出部１１に凹部４１が延設されるとともに、上記床仕上げ材２ａの雄実３２が設けられる側のベース材１ａは上に余長部１１ａを残して後退して設け、その余長部１１ａに下向きに凸部４２を突出させてなる。【選択図】図１
2009046927.tif 000002
【特許請求の範囲】
【請求項１】
ベース材とその上に床仕上げ材が積層されてなる複合床材であって、上記上層である床仕上げ材と該複合床材Ａの敷設時に隣接する床仕上げ材とは縦方向側面に実結合部が設けられ、下層のベース材と隣接するベース材とはその端部に上下に凹凸結合する凹凸結合部が設けられたことを特徴とする複合床材。
【請求項２】
上記床仕上げ材の雌実が設けられる側のベース材は雌実よりも外方に突出され、その突出部に凹部が延設されるとともに、上記床仕上げ材の雄実が設けられる側のベース材は上に余長部を残して後退して設け、その余長部に下向きに凸部を突出させてなる請求項１に記載の複合床材。
【請求項３】
上記床仕上げ材の雌実の深さが雄実の突出長さより深い請求項１に記載の複合床材。
【請求項４】
上記ベース材がプラスチック系基材である請求項１に記載の複合床材。
【請求項５】
上記床仕上げ材が木質系基材である請求項１に記載の複合床材。
【請求項６】
ベース材とその上に床仕上げ材が積層されてなる複合床材において、上記上層である床仕上げ材と該複合床材Ａの敷設時に隣接する床仕上げ材とは縦方向側面に実結合部を設け、雌実が設けられる側の下層のベース材は雌実３１よりも外方に突出されるとともに、その突出部に凹部を延設し、雄実が設けられる側のベース材は上に余長部を残して後退して設け、その余長部に下向きに凸部を突出させ、床仕上げ材どうしは実結合により、ベース材どうしは凹凸結合により結合する複合床材の接合構造。
【発明の詳細な説明】
【技術分野】
【０００１】
本発明は、複合床材に関する。さらに詳しくは、ベース材に床仕上げ材を積層してなる複合床材およびその接合構造に関する。
【背景技術】
【０００２】
従来、床材として、例えば、合板を基材とし、表面に突き板が積層された木質床材は、いわゆるフローリング材として一般的に使用されている。上記フローリング材は、生活様式の洋風化に伴ってリビングルーム等に広く使用されており、通常、床下地に接着剤や釘、ビス等の固定手段や、その他の施工部材を用いて施工されている。
【０００３】
一方、住宅等、建造物の屋上、ベランダやバルコニー等における下地床面を傷付けることがなく、しかも精度の高い敷設が行え、さらに床材の交換が容易で、強風による剥がれ等がなく、加えて歩行面に段差やがたつきを生じにくいルーフバルコニー用透水床材、およびその敷設構造が提案されている。
【０００４】
下記特許文献１には多孔質陶磁器製板を半硬質樹脂製ベース材に接着してなるルーフバルコニー用透水床材において、透水床材の相対する小口面の一側では半硬質樹脂製ベース材の小口面に対して多孔質陶磁器製板を突き出させ、反対側では後退させるとともに、前記突き出し部分裏側の半硬質樹脂製ベース材の小口面上辺部に切り欠き部を設けたことを特徴とするルーフバルコニー用透水床材およびその敷設構造が開示されている。
【０００５】
そして、ルーフバルコニー用透水床材を下地を傷付けることなく、精度高く置き敷くことができる一方、傷んだ床材の交換が容易で、施工性、歩行性を向上させることができることに加え、強風時における床面負圧による床材の煽り、浮き上がりを防止することができるとの効果が記載されている。
【特許文献１】特開２０００−２２０２７７号公報（第１３〜１６頁、第１図、第５図、第６図）
【発明の開示】
【発明が解決しようとする課題】
【０００６】
ところで、木材資源の枯渇化、世界的な資源保護運動の高まりからムクの木材の入手が困難となり、ムクの木材をカツラ剥きした材料から製造される合板基材の価格も高騰している状況に鑑み、製材所から出る廃材やおが屑、建築工程で出る木材の端材を粉砕して木質繊維を得て、接着剤の存在下に圧熱し、木質繊維板に加工したうえ、建築用の基材として利用することも行われつつある。
【０００７】
一方、床下地に直接、床材を置き敷いて直貼りする工法は、上記特許文献１に記載のルーフバルコニー用のみならず、近年一般住宅のフローリングにも採用されつつあり、床仕上げ材として上記した木質系材料を基材として用いる施工方法が開発されている。
【０００８】
本発明は、このような状況のもとで考え出されたものであり、プラスチック系基材等を用いるベース材とその上に床仕上げ材を積層させてなり、寸法安定性に優れるとともに、簡単に、かつ、接着剤や釘、ビス等の固定手段や、その他の施工部材を要せず施工することができる複合床材およびその接合構造を提供することを、その課題とする。
【課題を解決するための手段】
【０００９】
上記課題を解決するために、本発明においては、つぎのような技術的手段を講じている。すなわち、本願請求項１に記載の複合床材は、ベース材とその上に床仕上げ材が積層されてなる複合床材であって、上記上層である床仕上げ材と該複合床材Ａの敷設時に隣接する床仕上げ材とは縦方向側面に実結合部が設けられ、下層のベース材と隣接するベース材とはその端部に上下に凹凸結合する凹凸結合部が設けられたことを特徴とするものである。
【００１０】
本願請求項２に記載の発明は、上記請求項１記載の複合床材において、上記床仕上げ材の雌実が設けられる側のベース材は雌実よりも外方に突出され、その突出部に凹部が延設されるとともに、上記床仕上げ材の雄実が設けられる側のベース材は上に余長部を残して後退して設け、その余長部に下向きに凸部を突出させてなることを特徴としている。
【００１１】
本願請求項３に記載の発明は、上記請求項１記載の複合床材において、上記床仕上げ材の雌実の深さが雄実の突出長さより深いことを特徴としている。
【００１２】
本願請求項４に記載の発明は、上記請求項１記載の複合床材において、上記ベース材がプラスチック系基材であることを特徴としている。上記プラスチック系基材としては、ポリ塩化ビニル樹脂、ポリウレタン樹脂、エチレン−酢酸ビニル共重合体、ポリプロピレン、低密度ポリエチレン、ポリアクリル樹脂、ポリエステル、ポリアミド等の弾性を有するプラスチック系基材、あるいは天然ゴム、スチレン−ブタジエンゴム、クロルスルホン化ポリエチレンゴム、ポリウレタンゴム、ブチルゴム、ポリイソプロピレンゴム等のゴム基材をあげることができる。特に、弾性を有する樹脂が好ましく用いられ、これらの樹脂はシート状に成形して用いられる。また、これらの樹脂は低度に発泡して用いてもよい。
【００１３】
本願請求項５に記載の発明は、上記請求項１記載の複合床材において、上記床仕上げ材が木質系基材であることを特徴としている。木質系基材としては、ムクの木材そのもの、合板、パーティクルボード、中密度繊維板（ＭＤＦ）等をあげることができる。
【００１４】
本願請求項６に記載の複合床材の接合構造は、ベース材とその上に床仕上げ材が積層されてなる複合床材において、上記上層である床仕上げ材と該複合床材の敷設時に隣接する床仕上げ材とは縦方向側面に実結合部を設け、雌実が設けられる側の下層のベース材は雌実よりも外方に突出されるとともに、その突出部に凹部を延設し、雄実が設けられる側のベース材は上に余長部を残して後退して設け、その余長部に下向きに凸部を突出させ、床仕上げ材どうしは実結合により、ベース材どうしは凹凸結合により結合することを特徴とするものである。
【発明の効果】
【００１５】
請求項１に記載の発明にかかる複合床材においては、上記のとおりであり、特に、上層の床仕上げ材と該複合床材Ａの敷設時に隣接する床仕上げ材とは縦方向側面に実結合部が設けられ、下層のベース材と隣接するベース材とはその端部に上下に凹凸結合する凹凸結合部が設けられているため、上記実結合、凹凸結合を用いることにより、接着剤や釘、ビス等の固定手段や、その他の施工部材を要せず、簡単に施工することができる。
【００１６】
請求項２に記載の複合床材においては、特に、上記雌実が設けられた床仕上げ材の下層のベース材は雌実よりも外方に突出して延設され、その突出部に凹部を設けるとともに、隣接する複合床材のベース材を上に余長部を残して後退して設け、その余長部に下向きに凸部を延設させ、上記凹部に凸部を嵌入させて凹凸結合させるため、隣接するベース材どうしを凹凸結合によってしっかりと結合することができる。
【００１７】
請求項３に記載の複合床材においては、特に、上記床仕上げ材の雌実の深さが雄実の突出長さより深くされているため、床仕上げ材どうしが実結合したとき、浅めに結合し、例えば、床仕上げ材として用いられた木質系基材が吸湿して伸長しても、雌実の深さが雄実の突出長さより深いため、その伸びは吸収されて複合床材のせり上がりや突き上がりを防ぐことができる。
【００１８】
請求項４に記載の複合床材においては、特に、ベース材としてプラスチック系基材が用いられているため、断熱性、遮音性に優れ、水分による伸縮はほとんどなく、寸法安定性に優れた複合床材を提供することができる。
【００１９】
請求項５に記載の複合床材においては、特に、上記床仕上げ材として木質系基材を用いるため、木目模様が意匠された見栄えのよい複合床材とすることができる。
【００２０】
請求項６に記載の複合床材の接合構造においては、上記のとおりであり、特に、上層である床仕上げ材どうしは縦方向側面に設けられた実結合部によって実結合され、下層のベース材どうしは、その両端部に設けられた凹部と凸部とで凹凸結合されるため、複合床材どうしは、特に、プラスチック基材をベース材として用いたとき、弾性のあるベース材の特性を活かし、その凸部を凹部に嵌入させるとともに、床仕上げ材の雄実と雌実とを実結合することにより、簡単に接合することができる。
【発明を実施するための最良の形態】
【００２１】
以下、本発明の実施形態について図面を参照して詳細に説明する。図１は、本発明にかかる複合床材Ａを示す部分断面説明図である。図２は、上記複合床材Ａの接合部分を示す縦断面図である。図１、図２に示されるように、複合床材Ａは、ベース材１とその上に床仕上げ材２が接着、熱圧着等の手段により積層されてなり、上層である上記床仕上げ材２の縦方向側面には雌実３１が延設され、隣接する床仕上げ材２ａの縦方向側面には雄実３２が延設されて、床仕上げ材２と床仕上げ材２ａとは実結合される。本実施形態においては、床仕上げ材２、２ａとして、前記した木質繊維板を含む木質系基材が用いられる。
【００２２】
上記床仕上げ材２の雌実３１が延設された側のベース材１は雌実３１よりも外方に突出して設けられ、その突出部１１には凹部４１が延設され、上記隣接する床仕上げ材２ａの雄実３２が突設された側のベース材１ａは上に余長部１１ａを残して後退して設けられている。そして、後退によって生じた余長部１１ａには上記凹部４１に嵌入する下向きの凸部４２が延設されている。
【００２３】
図１に示すように、複合床材Ａの床仕上げ材２（２ａ）及びベース材１（１ａ）は雌実部・雄実部の箇所でその厚みが異なっている。しかし複合床材Ａの当該合計の厚みは一定であるがその詳細の図示は省略する。
【００２４】
図２に示されているように、雌実３１の深さは、雄実３２の突出長さｄより深くされ、床仕上げ材２、２ａどうしが実結合したとき、浅めに結合する。また、下向きに延設された凸部４２の先端は凹部４１の嵌入部より若干大きくなるように、裾広がり状に形成され、一旦、凸部４２が凹部４１に嵌入した後は抜けにくい構造とされている。
【００２５】
図３は、本発明にかかる複合床材の接合構造を示す説明図である。図１、図２に示したベース材１、１ａを上記した弾性のあるプラスチック材料から構成し、凸部４２を凹部４１に嵌入させるとともに、雄実３２を雌実３１に実結合することにより、簡単に複合床材Ａどうしを接合させることができる。また、図３に示されているように、床仕上げ材２、２ａどうしは、浅く実結合されているため、床仕上げ材２、２ａとして用いた木質系基材が吸湿して伸長しても、雌実３１の深さが雄実３２の突出長さｄより深いため、その伸びは吸収されて複合床材のせり上がりや突き上がりを防ぐことができる。また、ベース材１とベース材１ａとは凹凸結合によって抜けにくく、しっかりと結合され寸法安定性に優れたものとすることができる。
【００２６】
図４は、上記実施形態の変形例であり、図１、図２に示す凹部４１を略Ｕ字形凹部５１としてもよい。同様に、上記凸部４２を略Ｕ字形凸部５２としてもよい。このように、本発明は設計変更自在であり、いずれの場合も、特許請求の範囲を逸脱しない限り、本発明の技術的範囲に属する。
【図面の簡単な説明】
【００２７】
【図１】本発明にかかる複合床材を示す部分断面説明図である。
【図２】本発明にかかる複合床材の接合部分を示す縦断面図である。
【図３】本発明にかかる複合床材の接合構造を示す説明図である。
【図４】本発明にかかる複合床材の接合部分の変形例を示す縦断面図である。
【符号の説明】
【００２８】
Ａ          本発明にかかる複合床材
１          ベース材
１１        突出部
１ａ        隣接するベース材
１１ａ      余長部
２          床仕上げ材
２ａ        隣接する床仕上げ材
３１        雌実
３２        雄実
４１        凹部
４２        凸部
５１        略Ｕ字形凹部
５２        略Ｕ字形凸部
【図１】
2009046927.tif 000003
【図２】
2009046927.tif 000004
【図３】
2009046927.tif 000005
【図４】
2009046927.tif 000006